(57)【要約】【目的】本発明は、スイッチのＯＮの状態あるいはＯＦＦの状態をロックするスイッチ固定具に関に関し、ロック必要なスイッチのみロックし、作業者の体の一部や腰につけた工具などがスイッチに触れて切り換えて非所望の機器を停止させたり、重大な事故の発生を防止したりすることを目的とする。【構成】分電盤内あるいは分電盤外の１つあるいは複数のスイッチのＯＮの状態およびＯＦＦの状態のときに当該１つあるいは複数のスイッチの、ＯＮの状態とＯＦＦの状態が遷移する中間部分に挿入して当該スイッチをロックする固定棒と、固定棒を１つあるいは複数のスイッチに対して固定する固定具とを備えたスイッチ固定具である。【選択図】        図１
2008078092.tif 000002
【特許請求の範囲】
【請求項１】
分電盤内あるいは分電盤外の１つあるいは複数のスイッチのＯＮの状態あるいはＯＦＦの状態をロックするスイッチ固定具において、
分電盤内あるいは分電盤外の１つあるいは複数のスイッチのＯＮの状態およびＯＦＦの状態のときに当該１つあるいは複数のスイッチの、ＯＮの状態とＯＦＦの状態が遷移する中間部分に挿入して当該スイッチをロックする固定棒と、
前記固定棒を前記１つあるいは複数のスイッチに対して固定する固定具と
を備えたことを特徴とするスイッチ固定具。
【請求項２】
スイッチのＯＮの状態とＯＦＦの状態が遷移する中間部分が一列に並んでいる部分について、当該一列に並んでいる全てのスイッチの幅の長さの前記固定棒、あるいはロックしたいスイッチの幅の長さの前記固定棒、を挿入して当該固定棒を前記固定具で固定し、該当スイッチをロックしたことを特徴とする請求項１記載のスイッチ固定具。
【請求項３】
分電盤内あるいは分電盤外の１つあるいは複数のスイッチのＯＮの状態あるいはＯＦＦの状態をロックするスイッチ固定具において、
分電盤内あるいは分電盤外の１つのスイッチのＯＮの状態およびＯＦＦの状態のときに当該スイッチの、ＯＮの状態とＯＦＦの状態が遷移する中間部分に挿入して当該スイッチをロックするための固定棒と、
前記固定棒を前記１つのスイッチに対して固定する固定具と
を備えたことを特徴とするスイッチ固定具。
【請求項４】
前記固定棒を固定した前記固定具、あるいは前記固定棒と一体に形成した前記固定具、を前記スイッチ自体に被せて挿入し、ロックおよび固定を併せて行うことを特徴とする請求項３記載のスイッチ固定具。
【請求項５】
前記固定棒あるいは前記固定具にスイッチのロック期間を表示あるいは記入するラベルを付加したことを特徴とする請求項１から請求項４のいずれかに記載のスイッチ固定具。
【発明の詳細な説明】
【技術分野】
【０００１】
本発明は、スイッチのＯＮの状態あるいはＯＦＦの状態をロックするスイッチ固定具に関するものである。
【背景技術】
【０００２】
メインスイッチ、漏電スイッチ、および個々のスイッチを収納した分電盤（配電盤）は、作業者が機器の作業時に鉄製の扉を開け、内部の前記スイッチのいずれかをＯＮからＯＦＦあるいはＯＦＦからＯＮに切り換え所望の機器に対する電源のＯＮあるいはＯＦＦを行った後、扉を閉め、機器の修理、設置などの作業を行っている。
【０００３】
この際、作業者が腰に装着する道具等により無意識に所望でない他のスイッチに触れて切り換えてしまい重大な事故、例えば昼夜運転中のコンピュータ装置の電源をＯＦＦにしてしまって停止させてしまうなどの事故が発生したり、更に、人命にかかわる事故の発生の可能性があるという問題がある。
【０００４】
このため、これれを防止するために、従来、作業者が分電盤内のスイッチなどに触れると、当該スイッチに触れたことを検出して当該スイッチに接続されたケーブルに電流が流れていると検出されたときに警報を発するという技術がある（特許文献１）。
【０００５】
また、スイッチの押しボタンの周囲に当該押しボタンを囲んで高い位置まで周壁を設け、不用意な接触などによる押しボタンの押下を防止する技術がある（特許文献２）。
【特許文献１】特開２００５−２５７３３６号公報
【特許文献２】特開平１０−０９４６５７号公報
【発明の開示】
【発明が解決しようとする課題】
【０００６】
上述した前者の技術では、作業者が分電盤内のスイッチを切り換えようとした場合、スイッチに触れたときに当該スイッチに接続されているケーブルに電流が流れていれば、確かに警報が発せられるために当該スイッチをＯＦＦに切断することを防止できる。しかし、ケーブルに電流が流れていなければ（あるいは電圧が印加されていなければ）、警報を発することができなく、非所望のスイッチの状態を切り換えてしまい、ときとして重大な事故を引き起こしかねないという問題ある。
【０００７】
また、上述した後者の技術では、スイッチの周囲に高い周壁を設けて不用意なスイッチの押下（切り替え）を防止するものであり、押しスイッチにしか適用できないと共に、完全に切り替えをロックし得ないという問題もあった。
【０００８】
また、分電盤内の複数のスイッチあるいは分電盤などを設けていない複数のスイッチについて一様にＯＮの状態からＯＦＦの状態、あるいはＯＦＦの状態からＯＮの状態に不用意に切り替わらないように前記問題を解決するためにロック機構を設けることが考えられるが、更に、必要なスイッチのみにロック機構を簡易に装着することが望まれている。
【課題を解決するための手段】
【０００９】
本発明は、これらの問題を解決するため、分電盤内あるいは分電盤外の１つあるいは複数の任意のスイッチに固定棒を装着してスイッチのＯＮあるいはＯＦＦの状態が他の状態に遷移しないようにロックし、切換時は固定棒を外して所望のスイッチの状態を遷移させた後に再び固定棒でロックして任意のスイッチの状態をロックするようにしている。
【発明の効果】
【００１０】
本発明は、分電盤内あるいは分電盤外の１つあるいは複数の任意のスイッチに固定棒を装着してスイッチのＯＮあるいはＯＦＦの状態が他の状態に遷移しないようにロックし、切換時は固定棒を外して所望のスイッチの状態を遷移させた後に再び固定棒でロックして任意のスイッチの状態をロックすることにより、ロック必要なスイッチのみロックし、作業者の体の一部や腰につけた工具などがスイッチに触れて切り換えて非所望の機器を停止させたり、重大な事故の発生を防止したりすることが可能となる。
【発明を実施するための最良の形態】
【００１１】
本発明は、分電盤内あるいは分電盤外の１つあるいは複数の任意のスイッチに固定棒を装着してスイッチのＯＮあるいはＯＦＦの状態が他の状態に遷移しないようにロックし、切換時は固定棒を外して所望のスイッチの状態を遷移させた後に再び固定棒でロックして任意のスイッチの状態をロックし、ロック必要なスイッチのみロックし、作業者の体の一部や腰につけた工具などがスイッチに触れて切り換えて非所望の機器を停止させたり、重大な事故の発生を防止したりすることを実現した。
【実施例１】
【００１２】
図１は、本発明の１実施例構造図を示す。これは、分電盤内の複数のスイッチに被せる蓋（固定棒付蓋２、固定具）に固定棒１（ここでは、平坦な板）を設けた例を示す。
【００１３】
図１の（ａ）は固定棒付蓋２の例を示し、図１の（ｂ）は固定棒付蓋２を３つのスイッチ３の上から被せてロックした様子を模式的に示す。
【００１４】
図１の（ａ）の図示の状態は、分電盤の扉を開け、当該分電盤内のスイッチ、ここでは、３個のスイッチに上から被せる蓋（固定棒付蓋２）を設けてこれに図示の固定棒１を設けた様子を模式的に示す。図示の固定棒付蓋２に設けた固定棒１（平板の一部を打ち抜いて形成したもの）は、スイッチ３のＯＮの状態とＯＦＦの状態が切り替わらないようにロックする固定棒１を設けたものである。図１の（ａ）の固定棒付蓋２を３つのスイッチ３の上から被せると、図１の（ｂ）に示すように、丁度、スイッチ３の先端部分がＯＮの状態とＯＦＦの状態に切り替わる中間部分に当該固定棒１が位置し、スイッチ３のＯＮの状態とＯＦＦの状態の両者の間を切換不可にするものである。
【００１５】
次に、図２のフローチャートの順番に従い図１のロックを解除し、スイッチ３のＯＮの状態あるいはＯＦＦの状態を切り換えた後、再度、スイッチ３をロックするときの手順を詳細に説明する。
【００１６】
図２は、本発明の動作説明フローチャートを示す。
図２において、Ｓ１は、分電盤の扉を開ける。これは、分電盤の鉄製の扉を観音開きに開ける。
【００１７】
Ｓ２は、蓋を取り外し、ロックを解除する。これは、Ｓ１で分電盤の扉を開け、図１の（ｂ）の状態に固定棒付蓋２が３つのスイッチ３の上から被せて固定されているので、当該固定棒付蓋２を取り外し、固定棒１をスイッチ３のＯＮの状態とＯＦＦの状態との間の切換を不可にしていたロック状態から、当愛固定棒１を取り外してスイッチ３のＯＮの状態とＯＦＦの状態との間の切換を可能な状態にする（ロックを解除する）。
【００１８】
Ｓ３は、スイッチ３の状態を切り換える。これは、Ｓ２で図１の（ｂ）の固定棒１が外に取り出されてスイッチ３のＯＮの状態とＯＦＦの状態のいずれの状態へも切換可能になったので、作業者が所望の状態（ＯＮの状態からＯＦＦの状態、あるいはＯＦＦの状態からＯＮの状態）に切り換える。
【００１９】
Ｓ４は、蓋を被せてロックする。これは、Ｓ３でスイッチ３を所望の状態（ＯＮの状態あるいはＯＦＦの状態）に切り換えたので、図１の（ａ）の固定棒付蓋２をスイッチ３の上から被せて図１の（ｂ）のロック状態にし、スイッチ３のＯＮの状態とＯＦＦの状態の間の切換ができない状態にロックする。
【００２０】
Ｓ５は、分電盤の扉を締める。
以上の手順によって、作業者が分電盤の扉を開け（Ｓ１）、更に、スイッチ３に被せてある固定棒付蓋２を取り外して固定棒２を取り外しロックを解除した状態で（Ｓ２）、スイッチ３を任意の状態（ＯＮの状態あるいはＯＦＦの状態）に切り換えた後（Ｓ３）、再び、固定棒付蓋２をスイッチ３の上から被せて図１の（ｂ）の状態にしてロックする（Ｓ４）。そして、分電盤の扉を閉める（Ｓ５）。これらにより、必要なときのみスイッチ３のロックを解除して当該スイッチ３の状態を切り換えた後、直ぐにロックし、不用意にスイッチ３の先端部分に触って当該スイッチ３を切り換えて非所望の機器を停止させたり、重大な事故の発生を防止したりすることが可能となる。
【００２１】
図３は、本発明の応用例（その１）を示す。
図３の（ａ）は蓋（固定棒付蓋）２をグループ毎に３つ設けた例を示し、図３の（ｂ）は図３の（ａ）の３つのグループの蓋２を固定してスイッチ３１，３２，３３がＯＮの状態とＯＦＦの状態との間で切り換わらないようにロックした様子を模式的に示す。この例は、メインスイッチがある分電盤用の応用例であって、図示の状態では、スイッチ３のＯＮの状態とＯＦＦの状態とが切り換わる中間点が同一列となるグループとして、
（１）メインスイッチ３１の１列
（２）スイッチ３２の３列
（３）スイッチ３３の３列
の合計３つのグループに分割できるので、これら各グループ毎に既述した図１の（ａ）の固定棒付蓋２を図３の（ａ）の図示のようにそれぞれ設け、図３の（ｂ）に示すように、各グループのスイッチ３１，３２，３３の上から被せて固定し、スイッチ３１，３２，３３がＯＮの状態とＯＦＦの状態との間で切り換わることをロックする様子を示す。
【００２２】
ここで、図３の（ｂ）に示す３つのグループのうちのあるスイッチの状態を切り換えようとする場合、切り換えようとするスイッチの属するグループの蓋（固定棒付蓋）のみを取り外して当該グループ内のスイッチのロックを外し、所望の状態に切り換えた後、再び、蓋２を被せて固定しロックすることにより、他のグループのスイッチ３１，３２，３３に不用意に触ってもロックされているので、切り換えて非所望の電源断や電源入りさせて非所望の機器を停止させたり、重大な事故を発生させりすることを防止することが可能となる。
【００２３】
図４は、本発明の応用例（その２）を示す。この応用例は、スイッチ３の個々に固定棒付蓋４を被せてロッする例を示す。
【００２４】
図４の（ａ）は、固定棒付蓋４とスイッチ３の例を示す。
図４の（ａ−１）はスイッチ３の例を示し、図４の（ａ−２）は固定棒付蓋４の例を示す。ここで、図４の（ａ−２）に示す、平板の一部を打ち抜いて固定部１を形成した形状を持つ固定棒付蓋４（図示しないが、縁にスイッチ３に被せて挿入したときに固定する固定部を有する）を予め用意し、図４の（ａ−１）のスイッチ３の上から被せて挿入して当該固定棒付蓋４の縁（周辺）に設けた固定部でスイッチ３に固定する。これにより、スイッチ３の先端部がＯＮの状態とＯＦＦの状態との間の切り換えが不可の状態（ロック）にすることが可能となる。
【００２５】
図４の（ｂ）は、ロックした状態を示す。これは、図１の（ａ−２）の固定棒付蓋４をスイッチ３の上から被せて挿入して固定し当該スイッチ３のＯＮの状態とＯＦＦの状態との間の切り換えをロックした状態を示す。
【００２６】
図４の（ｂ−１）、（ｂ−２）はオフにロックした状態を示す。図４の（ｂ−１）は正面図を示し、図４の（ｂ−２）は側面図を示す。このオフにロックした状態では、スイッチ３の先端部に作業者が不注意に触っても、固定棒付蓋４を構成する固定棒１が当該スイッチ３の先端部がＯＮの状態とＯＦＦの状態とに切り換わる中間点に位置しているため、ＯＮの状態あるいはＯＦＦの状態からいずれの状態へも遷移不可となり、スイッチ３の状態を変えることができなく、不用意な接触によるスイッチ３の切り換えを完全を防止することが可能となる。
【００２７】
同様に、図４の（ｂ−３）、（ｂ−４）はオンにロックした状態を示す。図４の（ｂ−３）は正面図を示し、図４の（ｂ−４）は側面図を示す。このオンにロックした状態では、スイッチ３の先端部に作業者が不注意に触っても、いずれの状態へも遷移不可となり、スイッチ３の状態を変えることができなく、不用意な接触によるスイッチ３の切り換えを完全を防止することが可能となる。
【００２８】
図４の（ｃ）は、ラベル付の例を示す。
図４の（ｃ−１）はラベル５を固定棒付蓋４に付けた様子を示し、図４の（ｃ−２）はラベル５の例を示す。図示のように、固定棒付蓋４にラベル５を取り付け、当該ラベル５に取り付け期間等を記しておくことにより、いつまでロックしておく必要があるかが一目で判明し、他人が不用意に固定棒付蓋４を取り外してしまう事態を防止することが可能となる。
【００２９】
図５は、本発明の応用例（その３）を示す。これは、必要なスイッチ３のみに既述した固定棒付蓋４を取り付けたスイッチ３を２つ、取り付けないスイッチ３を１つ設けた例を示す。図示のように、複数のスイッチ３のうち、不用意にスイッチ３のＯＮの状態とＯＦＦの状態とを切り換えを禁止しようとするスイッチ３のみに、本願発明に係わる固定棒付蓋４を取り付けると共に、図４の（ｃ）のラベル５を付加して取り外し禁止期間を記入しておくことにより、確実に固定棒付蓋４を取り付けたスイッチ３の不用意による切り換えを防止できると共にラベル５に取り外し禁止期間を見ていつまで取り外し禁止か（あるいは更に、ラベル５に記入された取り外し禁止の内容（例えば昼夜連続運転中のサーバに電源供給しているなど））を知ることが可能となる。
【産業上の利用可能性】
【００３０】
本発明は、１つあるいは複数の任意のスイッチに固定棒を装着してスイッチのＯＮあるいはＯＦＦの状態が他の状態に遷移しないようにロックしたスイッチ固定具に関するものである。
【図面の簡単な説明】
【００３１】
【図１】本発明の１実施例構造図である。
【図２】本発明のスイッチの状態変更フローチャートである。
【図３】本発明の応用例（その１）である。
【図４】本発明の応用例（その２）である。
【図５】本発明の応用例（その３）である。
【符号の説明】
【００３２】
１：固定棒
２、２１，２２，２３、４：固定棒付蓋
３、３１，３２，３３：スイッチ
【図１】
2008078092.tif 000003
【図２】
2008078092.tif 000004
【図３】
2008078092.tif 000005
【図４】
2008078092.tif 000006
【図５】
2008078092.tif 000007